(57)【要約】【課題】長時間高温を維持した状態で清拭や清掃などの拭き取り操作を行ない得る温熱拭き取り用具を提供すること。【解決手段】本発明の温熱拭き取り用具１は、拭き取り具２と収納体３とを備える。拭き取り具２は、吸水性ポリマーが含まれ且つ加熱によって蒸発する水性洗浄剤が含浸されている。収納体３は、拭き取り具２がほぼ密閉状態で収納され、耐熱性を有する。温熱拭き取り用具１は、拭き取り具２が収納体３内にほぼ密閉状態で収納された状態で所定温度に加熱される。【選択図】　　図１
2004073529.tif 000002
【特許請求の範囲】
【請求項１】
吸水性ポリマーが含まれ且つ加熱によって蒸発する水性洗浄剤が含浸された拭き取り具と、該拭き取り具がほぼ密閉状態で収納される耐熱性を有する収納体とを備え、該拭き取り具が該収納体内にほぼ密閉状態で収納された状態で所定温度に加熱される温熱拭き取り用具。
【請求項２】
前記拭き取り具における吸水性ポリマーと水性洗浄剤との重量比（前者／後者）が０．００２〜０．１５である請求項１記載の温熱拭き取り用具。
【請求項３】
前記拭き取り具が２層以上の積層シートからなり、その１層が吸水性ポリマーを含み、その層中における吸水性ポリマーの坪量が５〜１００ｇ／ｍ２である請求項１又は２記載の温熱拭き取り用具。
【請求項４】
前記拭き取り具が３層以上の積層シートからなり、最外層どうしが所定箇所において互いに接合しており、その接合面積が該積層シートの見かけの面積の２〜９５％である請求項１〜３の何れかに記載の温熱拭き取り用具。
【請求項５】
前記拭き取り具が６０℃になるまで加熱した後、該収納体を２３℃・６５％ＲＨの環境下に４分間保存した後の、該収納体内における前記水性洗浄剤の蒸発減少量を１〜１０重量％にし得る蒸気排気手段が前記収納体に備えられている請求項１〜４の何れかに記載の温熱拭き取り用具。
【請求項６】
前記拭き取り具が６０℃になるまで加熱した後、該収納体を２３℃・６５％ＲＨの環境下に４分間保存した後の、該収納体内における該拭き取り具の温度を４０℃以上に維持し得る保温性を該収納体が有している請求項１〜５の何れかに記載の温熱拭き取り用具。
【請求項７】
前記水性洗浄剤中に界面活性剤が０．０１〜３０重量％含有されている請求項１〜６の何れかに記載の温熱拭き取り用具。
【請求項８】
前記水性洗浄剤が含浸される前の状態における前記拭き取り具重量に対する該水性洗浄剤の含浸重量の比が、２〜１５である請求項１〜７の何れかに記載の温熱拭き取り用具。
【請求項９】
吸水性ポリマーが含まれ且つ加熱によって蒸発する水性洗浄剤が含浸された拭き取り具を、耐熱性を有する収納体内にほぼ密閉状態で収納し、該拭き取り具を該収納体内に収納された状態下に所定温度に加熱し、加熱された該拭き取り具を該収納体から取り出し、拭き取り対象物を拭き取る温熱拭き取り方法。
【発明の詳細な説明】
【０００１】
【発明の属する技術分野】
本発明は、所定温度に加熱された湿式の拭き取り具を用いて拭き取り対象面の拭き取りを行う温熱拭き取り用具に関する。また本発明は該温熱拭き取り用具を用いた温熱拭き取り方法に関する。
【０００２】
【従来の技術及び発明が解決しようとする課題】
水性液が含浸された身体用の清拭シートが知られている。斯かる清拭シートで身体を清拭する場合、シートからの水性液の放出量が多いと、身体表面に水性液が残留し、その液が気化するときに発生する気化熱によって体温が奪われてしまい冷刺激となる。この冷刺激によって、特に冬場の寒い時期には、身体を拭いた高齢者や乳児が体調を崩すおそれがある。そこで、清拭シートの使用に際して、該清拭シートを電子レンジで加温したり、専用の加温器具で加温することが行われている。しかし、該清拭シートを温めても、そこから放出される液量が多く、結局のところ、気化熱により体温が奪われ冷刺激となってしまう。また、加温された清拭シートを用いて身体を洗浄すると、シートを保温する機能がないことから時間の経過と共にシートの温度が低下していき、清拭が終わる頃には室温近くまで温度が低下してしまい、結局冷刺激を受けてしまう。特に、成人の身体全体を清拭する場合など、清拭面積が広く清拭に時間がかかる場合には、清拭終了時でのシートの温度低下が著しい。
【０００３】
特開平９−２５２９９４号公報や実開平２−５２６８９号公報には、吸水性ポリマーを含む蒸しタオルが記載されている。斯かる蒸しタオルは、これを沸騰した湯水に浸したり、或いは予め水分を含ませておき、電子レンジで加熱して用いられる。しかしこの蒸しタオルは、そもそも、身体の一部分における血管の運動性刺激を活発化させるために用いられるものであり、液を放出させて使用することを目的としていない。
【０００４】
身体用の清拭シートとは別に、水性液が含浸された湿式のシートとして、床のしみ、キッチン回りの油汚れ、水回りの皮脂汚れ等の除去に用いられる清掃用シートが知られている。油汚れや皮脂汚れは、温度によって落ち具合が変化し、室温で拭き取るよりも、これらを温めて拭き取る方が汚れが一層落ちることが知られている。しかし、該清掃用シートを温めて清掃しても、その温度が持続されず直ぐに冷えてしまい、結局汚れを十分に落とすことは容易でない。
【０００５】
特開平１０−３１４０９２号公報には、電子レンジ内の清拭具及び清拭方法が記載されている。この清拭具は清拭具材の加熱によって蒸発する液体洗浄剤を保持させてなり、これを電子レンジの加熱庫内に入れて加熱し液体洗浄剤を蒸発させ、その後、該清拭具を用いて加熱庫内を清掃するために用いられる。しかしこの清拭具は、加熱庫内だけの清掃が可能であり、この清拭具を電子レンジから取り出してキッチン回りや床等を清掃しようとしても、直ぐに冷えてしまい温熱清掃に適さない。特開２０００−８２５８０にも、電子レンジ内の清掃具が記載されている。この清掃具は、加熱作用によって蒸発する液体を拭き取り材に含浸させ、該拭き取り材を包材に密封収納してなる。この清掃具は、電子レンジの加熱庫内で加熱され、加熱による液体の蒸発で内圧を上昇させ、包材を破裂開口させて液体を加熱庫内に飛散させるものである。従って、この清掃具には、前述した特開平１０−３１４０９２号公報に記載の清拭具と同様の課題がある。
【０００６】
従って、本発明は、長時間高温を維持した状態で清拭や清掃などの拭き取り操作を行ない得る温熱拭き取り用具及び温熱拭き取り方法を提供することを目的とする。
【０００７】
【課題を解決するための手段】
本発明は、吸水性ポリマーが含まれ且つ加熱によって蒸発する水性洗浄剤が含浸された拭き取り具と、該拭き取り具がほぼ密閉状態で収納される耐熱性を有する収納体とを備え、該拭き取り具が該収納体内にほぼ密閉状態で収納された状態で所定温度に加熱される温熱拭き取り用具を提供することにより前記目的を達成したものである。
【０００８】
また本発明は、吸水性ポリマーが含まれ且つ加熱によって蒸発する水性洗浄剤が含浸された拭き取り具を、耐熱性を有する収納体内にほぼ密閉状態で収納し、該拭き取り具を該収納体内に収納された状態下に所定温度に加熱し、加熱された該拭き取り具を該収納体から取り出し、拭き取り対象物を拭き取る温熱拭き取り方法を提供するものである。
【０００９】
【発明の実施の形態】
以下本発明を、その好ましい実施形態に基づき図面を参照しながら説明する。図１には、本発明の温熱拭き取り用具の第１の実施形態の斜視図が示されており、図２には、拭き取り具の斜視図が示されている。図３は図２におけるＩＩＩ−ＩＩＩ線断面図である。
【００１０】
図１に示す温熱拭き取り用具１は、拭き取り具２と収納体３とを備えている。拭き取り具２は、複数枚が重ねられて収納体３内に収納されている。収納体３は、拭き取り具２の収容が可能な空間を有し且つ上部が開口した直方体状の収納部３１を備えている。収納部３１の背面部の開口端にはヒンジ３２が設けられている。ヒンジ３２には、収納部３１の開口部を塞ぐ蓋部３３が取り付けられている。蓋部３３はヒンジ３２によって開閉可能になっている。蓋部３３が収納部３１の開口部を閉塞した場合には、該収納部３１内の空間はほぼ密閉状態となる。蓋部３３のほぼ中央部には、該蓋部３３を貫通する小孔３４が設けられている。後述するように小孔３４は蒸気排気手段として機能する。
【００１１】
図２及び図３に示すように、本実施形態の拭き取り具２はシート状であり（以下、拭き取りシートともいう）、身体の清拭に用いられる。拭き取りシート２は矩形状のものであり、内層２１と、該内層２１の両面に配された２枚の表面層２２，２２との３層構造の積層シートから構成されている。内層２１及び表面層２２の何れも繊維シートから構成されている。
【００１２】
拭き取りシート２は、身体の洗浄のための水性洗浄剤が含浸されている湿式シートである。水性洗浄剤の放出量を前記範囲内にコントロールするためには、例えば水性洗浄剤の含浸量やシートの材質をコントロールすることが効果的である。シートの材質をコントロールすること、例えば親水性繊維と非親水性繊維（例えばポリエチレン繊維やポリプロピレン繊維等）との混抄率を変化させることで、表面層２２を構成するシートの親水性の度合いを変えることができる。具体的には、親水性繊維を多く混抄すると、表面層２２は水性洗浄剤を保持しやすくなり、且つ圧力によって水性洗浄剤が容易に放出されることから、放出量は多くなる。逆に、親水性繊維の混抄率を低下させることで、表面層２２は、水性洗浄剤を保持しにくくなり、内層２１に保持される水性洗浄剤の量が増えるので、圧力を加えても水性洗浄剤は放出されにくくなる。よって放出量は少なくなる。
【００１３】
一方、水性洗浄剤の含浸量をコントロールするには、拭き取りシート２の吸水性をコントロールすればよい。この目的のために、拭き取りシート２における内層２１を構成するシートには、吸水性ポリマーが含まれている。詳細には、内層２１は、吸水性ポリマーの粒子及び繊維材料を含む繊維シートから構成されている。そして、吸水性ポリマーの含有量をコントロールすることで、水性洗浄剤の含浸量、ひいてはその放出量をコントロールできる。更に、吸水性ポリマーが、水性洗浄剤中の水を吸収することで、拭き取りシート２全体としての比熱が高くなり、拭き取りシート２を所定温度に加熱したときの短時間での温度低下を防止できる。このことによっても、冷刺激を与えることが防止される。
【００１４】
このように、本実施形態においては、拭き取りシート２に吸水性ポリマーを含有させることで、（１）水性洗浄剤の放出量がコントロールされて冷刺激が抑制される、及び（２）拭き取りシート２の保温性が高められて冷刺激が抑制される、という２つの面からの効果が奏される。
【００１５】
拭き取りシート２の保温性を高めることで冷刺激を効果的に抑制するためには、拭き取りシート２に含まれる吸水性ポリマーの量及び含浸される水性洗浄剤の量、並びに両者の重量比が重要となる。吸水性ポリマー及び水性洗浄剤は、拭き取りシート２を６０℃に加熱した後、２３℃・６５％ＲＨの環境下に３分間保存した後の温度を３０℃以上に維持し得る量含まれていることが好ましい。保存時間を３分間とした理由は、水性洗浄液の全放出量との関係で、１枚の拭き取りシート２による清拭時間は３分間程度であることによる。拭き取りシート２全体の重量（水性洗浄剤が含浸された状態での重量）に占める吸水性ポリマーの重量比は、吸水性ポリマーの種類にもよるが、０．００２〜０．１５、特に０．００４〜０．１１であることが好ましい。また、水性洗浄剤が含浸される前の状態における拭き取りシート２の重量に対する水性洗浄剤の含浸重量の比は２〜１５、特に４〜１０であることが好ましい。また、吸水性ポリマーと水性洗浄剤との重量比（前者／後者）は０．００２〜０．１５、特に０．００７〜０．１１であることが好ましい。
【００１６】
拭き取りシート２を構成する各層の詳細について説明すると、内層２１は前述の通り吸水性ポリマーの粒子及び繊維材料を含む繊維シートから構成されていることが好ましい。内層２１は典型的には不織布又は紙から構成される。吸水性ポリマーとしては、自重の２０倍以上の液体を吸収・保持でき且つゲル化し得るものが好ましい。形状は特に問わず、球状、塊状、ブドウ状、粉末状又は繊維状であり、大きさが１〜１０００μｍ、特に１０〜５００μｍであることが好ましい。具体例としては、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。繊維材料としては親水性繊維を用いることが好ましい。具体例としては、針葉樹クラフトパルプや広葉樹クラフトパルプのような木材パルプ、木綿パルプ及びワラパルプ等の天然セルロース繊維、レーヨン及びキュプラ等の再生セルロース繊維、ポリビニルアルコール繊維及びポリアクリロニトリル繊維等の親水性合成繊維、並びにポリエチレン繊維、ポリプロピレン繊維及びポリエステル繊維等の合成繊維を界面活性剤により親水化処理したものなどが挙げられる。繊維材料は１種又は２種以上を用いることができる。
【００１７】
内層２１は、前述の材料を原料として湿式抄造法やエアレイド法、エアスルー法、スパンレース法によって製造することができる。また該繊維シートとして、特開平８−２４６３９５号公報や国際公開ＷＯ９９／６３９２３に記載の吸収性シートを用いることもできる。
【００１８】
内層２１を構成する繊維シートにおける吸水性ポリマーの粒子と繊維材料との重量比（前者／後者）は、０．０５〜１．０、特に０．１〜０．５であることが、吸水性ポリマーによる温熱保持性能の点から好ましい。同様の理由により、吸水性ポリマー自体の坪量は、５〜１００ｇ／ｍ２、特に１０〜８０ｇ／ｍ２であることが好ましい。内層２１を構成する繊維シートの坪量は、拭き取りシート２全体の坪量にもよるが、３０〜５００ｇ／ｍ２、特に６０〜１５０ｇ／ｍ２であることが好ましい。
【００１９】
内層２１は短冊形をしている。短冊形の内層２１は、その幅に対する長さの比が１〜３０、特に５〜２０、とりわけ６〜１５程度のものである。内層２１の長さは、表面層２２，２２の長さよりも短くなっており、内層２１の前後端縁から表面層２２，２２が延出している。内層２１は複数用いられており、各内層２１は、所定間隔を置いて一方向に配列されている。その間隔は２〜２０ｍｍ、特に３〜１５ｍｍ、とりわけ３〜１１ｍｍであることが、表面層２２，２２同士の接合が容易になる点、及び内層２１の面積を十分に確保する点から好ましい。
【００２０】
各内層２１の周縁は、２枚の表面層２２，２２同士が接合することによって囲繞されて連続に封止されている。これによって、膨潤した吸水性ポリマーの拭き取りシート２からの脱落が防止される。この脱落防止の観点から、２枚の表面層２２，２２による封止面積は、拭き取りシート２の見かけの面積の２〜９５％、特に１０〜６５％であることが好ましい。表面層２２，２２同士の接合には、例えばヒートシールによる熱融着、接着剤による接着などが用いられる。また、必要に応じ、拭き取りシート２にエンボス加工を施して、内層２１と表面層２２とを部分的に接合してもよい。
【００２１】
表面層２２は前述の通り親水性セルロース繊維を含んでいる繊維シートから構成されていることが好ましい。表面層２２は典型的には不織布から構成される。親水性セルロース繊維としては、レーヨン及びキュプラ等の再生セルロース繊維、針葉樹クラフトパルプや広葉樹クラフトパルプのような木材パルプ、木綿パルプ及びワラパルプ等の天然セルロース繊維などが挙げられる。表面層２２を構成する繊維シートは、親水性セルロース繊維のみから構成されていても良く、或いは他の繊維材料を含んでいてもよい。他の繊維材料としては、例えばポリエチレン繊維やポリプロピレン繊維などの熱融着性繊維を用いることができる。熱融着性繊維は、前述したように、エンボス加工によって表面層２２を内層２１と積層一体化させる場合に用いられる。
【００２２】
表面層２２を構成する繊維シートが親水性セルロース繊維以外の他の繊維を含む場合、該他の繊維は、表面層２２の重量（乾燥基準）当たり、２〜７０重量％、特に３０〜６０重量％含まれることが好ましい。また親水性セルロール繊維は表面層２２の重量（乾燥基準）当たり、３０〜９８重量％、特に４０〜７０重量％含まれることが好ましい。表面層２２を構成する繊維シートは、例えば湿式抄造法、エアレイド法、スパンレース法などの各種不織布製造方法によって製造することができる。表面層２２を構成する繊維シートの坪量は、拭き取りシート２全体の坪量にもよるが、それぞれ２０〜１００ｇ／ｍ２、特に３０〜７０ｇ／ｍ２であることが好ましい。尚、２枚の表面層２２は、同一のものでも良く或いは異なる種類のものでもよい。
【００２３】
内層２１及び表面層２２が積層一体化されたシート（水性洗浄剤が含浸される前のシート）は、その坪量が４０〜５００ｇ／ｍ２、特に７０〜４００ｇ／ｍ２、とりわけ１２０〜２９０ｇ／ｍ２であることが、シートを手に持った時の感触と、その清拭のし易さの点から好ましい。また、このシートに洗浄剤が含浸された後の拭き取りシート２の坪量は３００〜４０００ｇ／ｍ２、特に５００〜３０００ｇ／ｍ２、とりわけ１０００〜１５００ｇ／ｍ２であることが好ましい。
【００２４】
次に、水性洗浄剤について説明する。水性洗浄剤は水を媒体とし洗浄成分を含有するものであり、加熱によって蒸発する。洗浄成分としては各種界面活性剤を用いることができる。特に食品添加物系界面活性剤を用いることが好ましい。この理由は次の通りである。拭き取りシート２を、後述するように電子レンジで加熱した場合、水性洗浄剤がその内部に残留する可能性があり、それにより水性洗浄剤が食品と間接的に接する可能性がある。その場合の安全性の点から、水性洗浄剤に含まれる成分である界面活性剤は食品添加物系のものであることが好ましい。界面活性剤は、水性洗浄剤中に０．０１〜３０重量％、特に０．０５〜２重量％含有されていることが、十分な洗浄効果の発現の点から好ましい。
【００２５】
水性洗浄剤には、沸点が１００℃以上である水溶性溶剤、特にアルコールが含有されていることが好ましい。これによって、拭き取りシート２から放出された水性洗浄剤が急速に気化することが抑制されて、一層冷刺激が抑制される。沸点が１００℃以上である水溶性溶剤としては、プロピレングリコール、グリセリン、ポリエチレングリコールなどのアルコール類を用いることができ、特にプロピレングリコールを用いることがベタつき防止性の点、及びこれが食品添加物である点から好ましい。水溶性溶剤は、水性洗浄剤中に２〜７０重量％、特に５〜５０重量％、とりわけ１０〜３０重量％含有されていることが、より一層の冷刺激抑制の点、及び拭き取りシート２の保温性、更には肌への保湿性の観点から好ましい。
【００２６】
水性洗浄剤には、前述した各種成分に加えて、ミリスチン酸、ミツロウ、モンモリナイト等の粘度調整剤；リモネン等の香料成分（芳香性物質）；メチルパラベン、エチルパラベン、プロピルパラベン、ブチルパラベンなどの抗菌剤；除菌剤；防腐剤；天然緑茶抽出物（フラボノイド等）等の消臭成分；化粧品等で使用されているシリコーン類等；ワセリン、マツエキス、モモ葉エキス等の天然エキスや保湿剤；及びその他の無機物質などを含有させることもできる。これらの成分は、水性洗浄剤中に好ましくはそれぞれ０．０００１〜２０重量％含有させることができる。
【００２７】
水性洗浄剤における媒体としての水は、水性洗浄剤中に好ましくは３０〜９９．９重量％、更に好ましくは５０〜９５重量％、一層好ましくは６０〜９０重量％含まれる。
【００２８】
拭き取りシート２は、一枚又は複数枚が収納体３内にほぼ密封状態で収納され、この状態下に所定の加熱手段によって所定温度に加熱された後に、収納体３から取り出されて身体の清拭に使用される。拭き取りシート２の加熱手段としては、収納体の材質に応じて適切な手段が用いられる。例えば収納体３が電磁波透過性の材料、例えば各種合成樹脂から構成されている場合には、拭き取りシート２を収納体３内に収納した後、収納体３を電子レンジの加熱庫内に入れ電磁波を照射することで拭き取りシート２を加熱することができる。収納体が電磁波透過性でない材料、例えば金属から構成されている場合には、拭き取りシート２を収納体３内に収納した後、収納体３を熱水に浸漬することで拭き取りシート２を加熱することができる。何れの加熱手段を用いる場合にも、収納体３は耐熱性である必要がある。拭き取りシート２の加熱温度は３５〜８５℃、好ましくは４０〜７０℃、特に５０〜６０℃であることが、取り扱い性及び冷刺激の十分な抑制の点から好ましい。
【００２９】
収納体３内にほぼ密封した状態下に拭き取りシート２を加熱すると、それに含浸されている水性洗浄剤から蒸気が発生し、収納体３内が加圧状態となる。収納体３の内圧が高まると、収納体３の破裂のおそれや拭き取りシート２の過熱のおそれがある。そこで、発生する蒸気の一部が放出されることが好ましい。この観点から、拭き取りシート２が６０℃になるまで加熱した後、収納体３を２３℃・６５％ＲＨの環境下に４分間保存した後の、収納体３内における水性洗浄剤の蒸発減少量を１〜１０重量％、特に２〜８重量％、とりわけ３〜６重量％にし得る蒸気排気手段が収納体３に備えられていることが好ましい。本実施形態においては、先に述べた通り、収納体３における蓋部３３に小孔３４が設けられており、該小孔３４を通じて発生した蒸気の一部が外部へ放出されるようになっている。小孔３４の径は０．３〜５ｍｍ程度、特に０．５〜２ｍｍ程度、とりわけ０．８〜１．５ｍｍ程度であることが、水性洗浄剤の蒸発減少量を容易に前記範囲内とし得る点から好ましい。なお蒸気排気手段は小孔に限られず、例えば耐熱性の透湿フィルムシートでも良い。
【００３０】
このようにして加熱された拭き取りシート２は、実際の清拭操作が行われるまで収納体３内に収納され、その高温状態が長時間維持される。そして、清拭操作を行うときに初めて収納体３から取り出され、拭き取り対象である身体の拭き取りが行われる。この観点から、拭き取りシートが６０℃になるまで加熱した後、収納体３を２３℃・６５％ＲＨの環境下に４分間保存した後の、収納体３内における拭き取りシート２の温度を４０℃以上、特に５０℃以上に維持し得る保温性を収納体３が有していることが好ましい。収納体３の保温性を高めるためには、例えば収納体３自体を断熱性の高い材料、例えばグラスファイバー、セラミックグラスウール、発泡スチロール、発泡ウレタンから構成したり、収納体３の内面に断熱材、例えばサーモウール（羊毛断熱材）、発泡スチロール、発泡ウレタンを貼り付ければよい。なお、拭き取りシート２を収納体３内に収納せず直接加熱した場合には、収納体３内に収納して加熱した場合に比べて高温状態の維持時間が相対的に短くなる。
【００３１】
次に、本発明の第２の実施形態について図４及び図５を参照しながら説明する。第２の実施形態については、第１の実施形態と異なる点についてのみ説明し、特に説明しない点については、第１の実施形態に関して詳述した説明が適宜適用される。また、図４及び図５において、図１〜図３同じ部材に同じ符号を付してある。
【００３２】
本実施形態では収納体３は第１の実施形態と同様であるが、拭き取りシートの形態が第１の実施形態と相違する。図４に示す拭き取りシート２’は、家庭用及び業務用として、床、壁、リビング用品、キッチン周り、浴室や洗面台等の水周りの汚れの清掃に用いられる。図４に示すように、拭き取りシート２’は扁平な矩形状であり、シート材の積層体から構成されている。拭き取りシート２’は、その一面に清掃面Ｃを有している。また拭き取りシート２’は、シート本体４及び吸水性ポリマー保持シート（以下、ポリマーシートともいう）５１を備えている。シート本体４は、掻き取りシート４１並びに第１及び第２のポリマー脱落防止シート（以下、脱落防止シートともいう）４２，４３の合計３枚のシート材がこの順で積層されて構成されている。ポリマーシート５１は、シート本体４における第１及び第２の脱落防止シート４２，４３の間に配されている。つまり、本実施形態の拭き取りシート２’は、４枚のシート材、即ち掻き取りシート４１、第１及び第２の脱落防止シート４２，４３、ポリマーシート５１がこの順で積層されて構成されている。そして、各シートの四辺が熱エンボスによるヒートシールＳによって接合されていると共に、四辺の内部が菱形格子状のパターンで熱エンボスによるヒートシールＳによって接合されている。これによって４枚のシートが部分的に接合され一体化されて拭き取りシート２’が構成されている。各シートを部分的に接合することで、吸水性ポリマーの膨潤が阻害されなくなるという利点がある。また部分的に接合することで、清掃面Ｃに凹凸形状が付与され清掃効果が一層高まる。この場合、凸部の面積の総和は、清掃面Ｃの見掛けの面積に対して５〜９８％、特に３５〜９０％であることが、前記清掃効果の点から好ましい。
【００３３】
シート本体４における掻き取りシート４１の外面は前述した清掃面Ｃとなっている。また第２の脱落防止シート４３の外面は、拭き取りシート２’の使用時における掃除具や手との当接面となっている。
【００３４】
シート本体４には水性洗浄剤が含浸されている。この場合、水性洗浄剤は、ポリマーシート５１中に主に存在しておりシート本体４における掻き取りシート４１及び脱落防止シート４２，４３にも存在している。
【００３５】
拭き取りシート２’におけるポリマーシート５１は、吸水性ポリマーの粒子を保持した繊維材料を含む繊維シートから構成されている。吸水性ポリマーの粒子は、交絡した繊維間に保持されている。また、含水した吸水性ポリマーは粘着性を発現しているので、該粘着性によって繊維に結合して保持されている。吸水性ポリマーに吸収される水分としては、シート本体４に含浸される水性洗浄剤の一部が用いられる。
【００３６】
拭き取りシート２’は、該拭き取りシート２’を収納体３に収納した状態下に加熱して該拭き取りシート２’を６０℃に到達させた後、収納体を２３℃・６５％ＲＨの環境下に４分間保存した後の該拭き取りシート２’の温度を４０℃以上、特に５０℃以上に維持し得る熱容量を有していることが好ましい。換言すれば、拭き取りシート２’を収納体３に収納した状態下に加熱して該拭き取りシート２’を６０℃に到達させた後、収納体を２３℃・６５％ＲＨの環境下に４分間保存した後の該拭き取りシート２’の温度を４０℃以上、特に５０℃以上に維持し得る量の吸水性ポリマー及び水性洗浄剤が、拭き取りシート２’に含まれていることが好ましい。これによって、長時間高温を維持した状態で清掃を行うことができる。拭き取りシート２’全体の重量（水性洗浄剤が含浸された状態での重量）に占める吸水性ポリマーの重量比は、第１の実施形態と同様とすることができる。また、水性洗浄剤が含浸される前の状態における拭き取りシート２’の重量に対する水性洗浄剤の含浸重量の比も、第１の実施形態と同様とすることができる。
【００３７】
ポリマーシート５１は前述の通り、熱媒体を保持した繊維材料を含む繊維シートから構成されている。ポリマーシート５１としては、第１の実施形態における内層と同様のものを用いることができる。
【００３８】
拭き取りシート２’におけるシート本体４の一部をなす掻き取りシート４１は、シート本体４の表面層を構成している。該表面層は、拭き取りシート２’における清掃面Ｃを含んでいる。掻き取りシート４１は、シート本体４やポリマーシート５１に含浸されている水性洗浄剤を放出させ且つ清掃対象面に存する汚れに対する研磨性ないし掻き取る作用を有している。掻き取りシート４１は熱可塑性繊維を含む繊維シートから構成されている。
【００３９】
掻き取りシート４１を拡大した模式図が図５に示されている。掻き取りシート４１は、その表面、つまり拭き取りシート２’における清掃面に、前記熱可塑性繊維の先端部が多数存在して、該清掃面が、清掃対象面に存する汚れに対する研磨性ないし掻き取り性を有することが好ましい。これによって、汚れの除去性が高まる。この目的のために、熱可塑性繊維として、繊維長が２〜１５ｍｍで且つ繊度が１０〜１５０ｄｔｅｘのものを用いることが好ましい（以下、この熱可塑性繊維を、太径熱可塑性繊維という）。太径熱可塑性繊維を用いることで、掻き取りシート４１の表面に多数の先端部が存在することになり、清掃対象面に存する汚れに対する研摩性ないし掻き取り性が高くなる。
【００４０】
図５において太径熱可塑性繊維の繊維長を前記範囲内とすることで、掻き取りシート４１からの繊維の脱落が防止され、また繊維を均一に分散させることができる。特に、太径熱可塑性繊維の繊維長が好ましくは３〜８ｍｍ、更に好ましくは４〜６ｍｍであると、掻き取りシート４１からの太径熱可塑性繊維の脱落等が一層防止され、また一層均一で、汚れの掻き取り性に優れた掻き取りシート４１を形成することができる。また、前記範囲内の繊維長は、掻き取りシート４１をエアレイ法で形成する場合に、ウエブ形成の点から好適な繊維長である。
【００４１】
太径熱可塑性繊維の繊度を前記範囲内とすることで、こびりついた汚れ（変性油、焦げつき、水垢等）の掻き取り性が良好となり、また繊維を均一に分散させることができる。特に、太径熱可塑性繊維２の繊度が好ましくは２０〜１３０ｄｔｅｘ、更に好ましくは３０〜１２０ｄｔｅｘ、一層好ましくは４０〜１１０ｄｔｅｘであると、例えば鍋やフライパンにこびりついた汚れの掻き取り性に一層優れたものとなる。
【００４２】
太径熱可塑性繊維としては、例えばポリエチレンやポリプロピレン等のポリオレフィン系樹脂、ポリエチレンテレフタレート等のポリエステル系樹脂、ポリアクリル酸やポリメタクリル酸等のアクリル系樹脂、ポリ塩化ビニル等のビニル系樹脂、ナイロンなどのポリアミド系樹脂、各種金属、ガラスなどを原料とする繊維が用いられる。樹脂製の太径熱可塑性繊維を用いる場合、その樹脂硬度は、ロックウェル硬さでＲ４０〜Ｒ１５０の範囲が好ましい。特に、汚れの掻き取り性を向上させる点からは、Ｒ８０〜Ｒ１５０の樹脂を用いることが好ましい。前記の各種原料のうち、２種の樹脂の組み合わせからなる複合繊維（芯鞘型複合繊維やサイド・バイ・サイド型複合繊維）を用いることもできる。太径熱可塑性繊維として、捲縮性を有しているものを用いることもできる。これによって、掻き取りシート４１の厚み感（嵩高性）を向上させることができ、良好な拭き心地が得られる。捲縮形態としては、スパイラル型、ジグザグ型、Ｕ字型などがあり、これの何れもが好適に用いられる。太径熱可塑性繊維は１種又は２種以上を用いることができる。
【００４３】
掻き取りシート４１をエアレイ法で製造すると、太径熱可塑性繊維をランダムに三次元配向させることが可能であることから、掻き取りシート４１の表面に、太径熱可塑性繊維の先端部を多数存在させることができる。特に、太径熱可塑性繊維として前記繊維長のものを用いることで、該太径熱可塑性繊維が掻き取りシート４１の厚み方向に配向し易くなり、汚れの掻き取り性が高くなる。その上、太径熱可塑性繊維として前記繊度のものを用いることで、該太径熱可塑性繊維の剛性が高くなり、汚れに対する研摩性ないし掻き取り性が一層高くなる。
【００４４】
図５に示すように、掻き取りシート４１の清掃面Ｃとなる面においては、太径熱可塑性繊維の先端部が多数存在している。先端部の本数は、清掃対象面に存する汚れに対する十分な研磨性ないし掻き取り性が発現するのに十分な数とする。
【００４５】
掻き取りシート４１には、太径熱可塑性繊維に加えて、０．５〜５ｄｔｅｘ程度の繊度を有する、太径熱可塑性繊維よりも相対的に細い熱融着性繊維（細径熱可塑性繊維）が含有されていることが、太径熱可塑性繊維の脱落が防止される点及びこびりつき汚れの掻き取り性が向上する点から好ましい。この点から、斯かる繊維は、該繊維同士、及び該繊維と太径熱可塑性繊維とが、それらの交点で融着されていることが好ましい。斯かる繊維は、掻き取りシート４１中に１〜５０重量％、特に２〜３０重量％含まれていることが好ましい。
【００４６】
拭き取りシート２’における第１及び第２の脱落防止シート４２，４３は、拭き取りシート２’の使用中に、吸水性ポリマーが外部へ漏れ出てしまうことを防止するために使用される。脱落防止シート４２，４３は、吸水性ポリマーの粒子よりも目開きの小さなシートから構成される。また、脱落防止シート４２，４３は、水性洗浄剤を透過させ得るものであることも必要である。これらの点から、脱落防止シートは、繊維が密に詰まった繊維シートであることが好ましい。更に、２枚の脱落防止シートのうち第２の脱落防止シート４３は、拭き取りシート２’のもう一方の外面を構成するものであるから、水等の含浸性を考慮すると、親水性セルロース繊維を含んでいる繊維シートから構成されていることが好ましい。以上のことを考慮すると、各脱落防止シート４２，４３は典型的には不織布から構成される。親水性セルロース繊維としては、レーヨン及びキュプラ等の再生セルロース繊維、針葉樹クラフトパルプや広葉樹クラフトパルプのような木材パルプ、木綿パルプ及びワラパルプ等の天然セルロース繊維などが挙げられる。脱落防止シート４２，４３を構成する繊維シートは、親水性セルロース繊維のみから構成されていても良く、或いは他の繊維材料を含んでいてもよい。他の繊維材料としては、例えばポリエチレン繊維やポリプロピレン繊維などの熱融着性繊維（熱可塑性繊維）を用いることができる。熱融着性繊維が含まれていると、拭き取りシート２’を構成する各層のヒートシール性が良好になる。
【００４７】
脱落防止シート４２，４３を構成する繊維シートは、例えばスパンレース法などの各種不織布製造方法によって製造することができる。脱落防止シート４２，４３を構成する繊維シートの坪量は、拭き取りシート２’全体の坪量にもよるが、２０〜１００ｇ／ｍ２、特に３０〜７０ｇ／ｍ２であることが好ましい。シート４２，４３は同種でもよく、或いは異種でもよい。
【００４８】
掻き取りシート４１と第２の脱落防止シート４３とからなる拭き取りシート２’の表面層は、該表面層の重量（乾燥基準）当たり熱可塑性繊維を２〜９０重量％、特に２〜７０重量％含むことが好ましい。また、該表面層の重量（乾燥基準）当たり親水性セルロース系繊維を、１０〜９８重量％、特に３０〜９８重量％含むことが好ましい。
【００４９】
水性洗浄剤が含浸される前の状態の拭き取りシート２’は、その坪量が４０〜５００ｇ／ｍ２、特に７０〜４００ｇ／ｍ２、とりわけ１２０〜２９０ｇ／ｍ２であることが、拭き取りシート２’を手に持ったときの感触と、その清掃のし易さの点から好ましい。一方、水性洗浄剤が含浸された状態の拭き取りシート２’は、その坪量が３００〜４０００ｇ／ｍ２、特に５００〜３０００ｇ／ｍ２、とりわけ１０００〜２５００ｇ／ｍ２であることが、温熱持続性及び洗浄性の点から好ましい。同様の理由により、水性洗浄剤が含浸される前の状態の拭き取りシート２’に対する水性洗浄剤の含浸重量比は２〜１５、特に４〜１０であることが好ましい。
【００５０】
本実施形態の拭き取りシート２’は、第１の実施形態と同様に、収納体内に収納された状態で加熱される。加熱温度は第１の実施形態と同様とすることが、取り扱い性及び汚れの除去性の点から好ましい。このようにして加熱された拭き取りシート２’を用いて清掃を行う場合には、拭き取りシート２’における清掃面Ｃ、即ち掻き取りシート４１の面を清掃対象面に押し当てて擦りつける。これによって、拭き取りシート２’に含浸されている加熱された水性洗浄剤が清掃対象面に放出され、熱の作用によって清掃対象面に存する汚れを可塑化させる。また水性洗浄剤がそれ自体有する洗浄性能によって汚れを膨潤させ、溶解ないし浮き上がらせる。これと共に、拭き取りシート２’の清掃表面に多数存在している太径熱可塑性繊維の先端部が、清掃対象面に存する汚れを研摩ないし掻き取る。これらの機械的及び化学的作用によって、汚れが清掃対象面から除去される。除去された汚れは、水等の中に溶け込むか或いは分散して、水等と共に拭き取りシート２’に吸収される。このようにして、清掃対象面が清浄な状態となる。このような温熱清掃を行うと、拭き取りシート２’を加熱しないで清掃した場合に比べて清掃対象面を擦る回数が少なくて済み、清掃対象面を傷つけることが防止される。また１回擦った時の汚れの除去率が高くなる。その上、拭き取りシート２’は、その使用時までは収納体内に収納されて高温が維持されているから、清掃作業期間に亘って所定の高温が維持される。
【００５１】
本実施形態の拭き取りシート２’は、その清掃面Ｃと反対側の面に手を当てて清掃したり、該面に掃除具を装着させて清掃を行うことができる。掃除具としては、清掃部と該清掃部に連結された棒状の把手とを具備した掃除具が好ましく用いられる。拭き取りシート２’は、該清掃部に装着されて用いられる。この掃除具における把手を長くしてモップ状にすれば、立ったままの姿勢で楽に清掃を行える。
【００５２】
本発明は前記実施形態に制限されない。例えば第１の実施形態においては、拭き取りシート２は３層構造であったが、これに代えて内層２１と１枚の表面層２２とからなる２層構造としてもよい。また、吸水性ポリマーを保持でき且つその脱落のおそれがない限り、単層構造としてもよい。また第１の実施形態においては、内層２１及び表面層２２として繊維シートを用いたがこれに代えてスポンジなどの発泡シートを用いることもできる。
【００５３】
また第２の実施形態においては、掻き取りシートを用いずに、シート本体４を２枚の脱落防止シート４２，４３から構成してもよい。この場合には、２枚の脱落防止シート４２，４３間にポリマーシート５１が配される。更に第２の実施形態においては、熱エンボスによるヒートシールＳが形成されている部位には、ポリマーシート５１が存在していないことが、吸水性ポリマーの脱落防止の点、及び各シートの接合性の点から好ましい。
【００５４】
また、収納体３の形状は図１に示す形状に限られず、拭き取りシートをほぼ密封状態に収容し得る形状であれば、いかなる形状でも良い。
【００５５】
【実施例】
以下の例中、特に断らない限り、「％」は「重量％」を意味する。
【００５６】
〔実施例１（第１の実施形態の実施例）〕
（１）表面層の製造
レーヨン８０％及び芯がポリエチレンテレフタレートで鞘がポリエチレンからなる芯鞘型複合繊維２０％からなるスパンレース不織布を表面層として用いた。この不織布の坪量は４０ｇ／ｍ２であった。
（２）内層の製造
米国バッカイ社製の吸水性ポリマー含有シートを内層として用いた。このシートは短冊状であり、国際公開ＷＯ９９／６３９２３に記載の方法に準じ、エアレイド法によって製造されたものであり、坪量は１０５ｇ／ｍ２であった。このシートに含まれる吸水性ポリマーは架橋されたポリアクリル酸ナトリウム塩であり、その坪量は２６．３ｇ／ｍ２であった。
（３）積層シートの製造
内層の両面に２１０×１５０ｍｍの表面層を重ね合わせ、熱エンボス加工によって三者を部分的に一体化し、図２及び図３に示す形態の坪量１４０ｇ／ｍ２の積層シートを得た。内層シートは６枚用い、その幅は１５ｍｍ、長さは２００ｍｍであった。
（４）拭き取りシートの製造
プロピレングリコール２０％、ショ糖ラウリン酸エステル（第一工業製薬製の「ＤＫ−エステル　Ｌ−１６０Ａ」（商品名）、食品添加物である界面活性剤）０．５％、エチルパラベン０．２％、残部水からなる水性洗浄剤を、乾燥状態にある積層シートの重量に対して８００％含浸させて拭き取りシートを得た。
（５）拭き取りシートの加熱
拭き取りシートを図１に示すポリエチレン製の収納体内に２枚重ねて収納し、収納体ごと電子レンジの加熱庫内に入れて加熱した。収納体の外部には直径１ｍｍの小孔が設けられていた。加熱は拭き取りシートの温度が６０℃となるようにした。拭き取りシートを６０℃になるまで加熱した後、収納体から取り出して２３℃・６５％ＲＨの環境下に４分間保存した。保存後の水性洗浄剤の蒸発減少量を測定したところ４．０％であった。また、拭き取りシートを６０℃になるまで加熱した後、収納体を２３℃・６５％ＲＨの環境下に４分間保存した。保存後の収納体内における拭き取りシートの温度を測定したところ５８℃であった。
【００５７】
〔実施例２（第２の実施形態の実施例）〕
（１）脱落防止シートの製造
レーヨン８０％及び芯がポリエチレンテレフタレートで鞘がポリエチレンからなる芯鞘型複合繊維２０％からなるスパンレース不織布を脱落防止シートとして用いた。この不織布の坪量は４０ｇ／ｍ２であった。
【００５８】
（２）ポリマーシートの製造
実施例１と同様とした。
【００５９】
（３）掻き取りシートの製造
芯がポリエチレンテレフタレートで鞘が低融点ポリエステルからなる繊度５６ｄｔｅｘ、繊維長５ｍｍの捲縮タイプ芯鞘型複合繊維（太径熱可塑性繊維、鞘成分の融点１１０℃）と、芯がポリエチレンテレフタレートで鞘が低融点ポリエステルからなる繊度２．２ｄｔｅｘ、繊維長５ｍｍの捲縮タイプ芯鞘型複合繊維（細径熱可塑性繊維、鞘成分の融点１１０℃）とが７５／２５の重量比で混合されたものを使用した。この繊維原料からエアレイ法により、坪量８０ｇ／ｍ２のウェブを形成した。このウェブにおける構成繊維同士の交点を熱融着によって接着し、掻き取りシートを得た。このシートにおいては、その表面に太径熱可塑性繊維の先端部が多数存在していた。
【００６０】
（４）拭き取りシートの製造
ポリマーシートを２枚の脱落防止シートで挟持した。更に、一方の脱落防止シートの表面に掻き取りシートを重ね合わせた。そして、これら４枚のシートを熱エンボス加工によって部分的に接合して一体化させ、図４に示す坪量２６５ｇ／ｍ２の積層シートを得た。エンボスパターンは菱形格子模様であった。この積層シートにおける掻き取りシート側の表面には、菱形の凸部が多数形成されていた。凸部の面積の総和は、清掃面の見かけの面積に対して４５％であった。ドデシルグリコシド（界面活性剤）０．２％、アルキルベンジルジメチルアンモニウムクロライド（除菌剤）０．０１％、プロピレングリコール（水溶性溶剤）５％、炭酸カリウム０．５％、クエン酸３ナトリウム（電解質）０．３％、及び残部水からなる水性洗浄剤を、シートの乾燥重量に対し８００％含浸させて拭き取りシートを得た。
【００６１】
（５）拭き取りシートの加熱
拭き取りシートを実施例１と同様の収納体内に２枚重ねて収納し、収納体ごと電子レンジの加熱庫内に入れて加熱した。加熱は拭き取りシートの温度が６０℃となるようにした。拭き取りシートを６０℃になるまで加熱した後、収納体から取り出して２３℃・６５％ＲＨの環境下に４分間保存した。保存後の水性洗浄剤の蒸発減少量を測定したところ４．０％であった。また、拭き取りシートを６０℃になるまで加熱した後、収納体を２３℃・６５％ＲＨの環境下に４分間保存した。保存後の収納体内における拭き取りシートの温度を測定したところ５８℃であった。
【００６２】
〔実施例３（第１の実施形態の実施例）〕
（１）表面層、内層及び積層シートの製造
実施例１と同様とした。
（２）拭き取りシートの製造
シリコーンＳＨ−２４５（東レダウコーニング・シリコーン社製）５％、ジプロピレングリコール５％、エタノール５％、エチルパラベン０．０７％、プロピルパラベン０．０２％、残部水からなる洗浄剤を、乾燥状態にある積層シートの重量に対して８００％含浸させて拭き取りシートを得た。
（３）拭き取りシートの加熱
拭き取リシートを図１に示すポリエチレン製の収納体内に２枚重ねて収納し、収納体ごと電子レンジの加熱庫内に入れて加熱した。収納体の外部には、直径１ｍｍの小孔が設けられていた。加熱は、拭き取りシートの温度が６０℃となるようにした。拭き取りシートを６０℃になるまで加熱した後、収納体から取り出して、２３℃、６５％ＲＨの環境下に４分間保存した。保存後の洗浄剤の蒸発量を測定したところ４．１％であった。また、拭き取りシートを６０℃になるまで加熱した後、収納体を２３℃・６５％ＲＨの環境下に４分間保存した。保存後の収納体内における拭き取りシートの温度を測定したところ５８℃であった。
【００６３】
【発明の効果】
本発明によれば、長時間高温を維持した状態で、身体の清拭や汚れの清掃などの拭き取り操作を行ない得る温熱拭き取り用具及び温熱拭き取り方法を提供される。
【図面の簡単な説明】
【図１】本発明の温熱拭き取り用具の第１の実施形態を示す斜視図である。
【図２】拭き取り具の一実施形態を示す斜視図である。
【図３】図２におけるＩＩＩ−ＩＩＩ線断面図である。
【図４】拭き取り具の第２の実施形態を示す斜視図である。
【図５】掻き取りシートの表面を拡大して示す模式図である。
【符号の説明】
１　温熱拭き取り用具
２　拭き取り具
３　収納体
【図１】
2004073529.tif 000003
【図２】
2004073529.tif 000004
【図３】
2004073529.tif 000005
【図４】
2004073529.tif 000006
【図５】
2004073529.tif 000007